(57)【特許請求の範囲】
【請求項１】
中央寄りの適宜の位置に、三脚における雲台のカメラ連結ネジの挿通孔を設けたカメラ載置板と、前記カメラ載置板に前方に向けて平行して取り付け、前方に伸び出す長さを調節自在となすと共に、夫々の先端に後記フィルム状覆い体取着用弾性板の両端を夫々連結させるべくなした二本一組の支持杆と、外面に面ファスナー等の適宜の止着部材の一方側を取り付け、アーチ状に撓ませた状態においてその両端を前記二本一組の支持杆の夫々の先端に連結させるべくなしたフィルム状覆い体取着用弾性板と、前記カメラ載置板に載置するカメラと写真撮影者とを覆うに適した所要の広さを有し、前部の縁の内面に前記止着部材の他方側を取り付け、該止着部材の他方側を前記フィルム状覆い体取着用弾性板に取り付けた止着部材の一方側に結合一体化させることによって取着するようになしたフィルム状覆い体とをもって構成してなることを特徴とするカメラの雨避け装置。
【発明の詳細な説明】
【０００１】
【発明の属する技術分野】
本発明は、雨天時や降雪時に屋外において写真撮影する場合に、カメラが雨や雪に当たらないようにするための雨避け装置に関するものである。
【０００２】
【従来の技術】
屋外において写真撮影することも多く、特に梅雨どきは花がしっとりとして写真愛好家にとっては絶好の時期である。
【０００３】
そして、この時期においてはしとしとと雨が降っている最中に撮影することが多く、その際においてカメラが雨に当たらなくするような工夫をしたものとして、従来図５に示す如きカメラ覆いが提案されている。
【０００４】
該カメラ覆いは、三脚（図示せず。）上に固定したカメラ（図示せず。）と写真撮影者とを覆うに適した広さを有し、前部を閉塞したフィルム状覆い体１００の前部に、円形の切欠部１０１を設け、該切欠部１０１内に、中央部にカメラのレンズ（図示せず。）の挿通孔１０２を設けたゴム板１０３を取り付けてなるものである。
【０００５】
【発明が解決しようとする課題】
しかし、斯かる従来のカメラ覆いには、次の如きいくつかの問題点がある。先ず第１の問題点は、カメラのレンズはゴム板１０３のレンズ挿通孔１０２に接触状態で挿し込まれてあり、そしてゴム板１０３は摩擦抵抗が大きくてすべらないから、レンズを回したときに該ゴム板１０３が捩れてしまうことである。
【０００６】
第２の問題点は、前記の如くカメラのレンズはゴム板１０３のレンズ挿通孔１０２に接触状態で挿し込まれており、そしてまた、フィルム状覆い体１００は単に上から被さっているだけであるから、頂部側が窄まってしまい、フィルム状覆い体１００がレンズや写真撮影者の手にからみつきやすい。この結果、レンズを交換しようとしてもなかなか手際よく行なうことができない。
【０００７】
第３の問題点は、フィルム状覆い体１００は前部も閉塞されていることから内部が蒸れ易く、カメラの覗き窓がくもることである。このため頻繁に覗き窓を拭かなければならず、煩わしい。
【０００８】
本発明は上記の点に鑑みなされたものであって、三脚の雲台上にセットするカメラ載置板に、前方に向けて伸び縮み調節自在の二本一組の支持杆を取り付け、該二本一組の支持杆の先端に、アーチ状に撓ませた状態においてフィルム状覆い体取着用弾性板を連結し、該フィルム状覆い体取着用弾性板に止着部材をもってフィルム状覆い体を取着するようになし、もってレンズがフィルム状覆い体に接触せず、またフィルム状覆い体がフィルム状覆い体取着用弾性板をもって頂部を充分に開いた状態で、即ちレンズの周囲に充分な空間がとれる状態で被せられているから、レンズの交換の際にはこれをスムーズに行なうことができ、更にフィルム状覆い体はその前部がフィルム状覆い体取着用弾性板をもって充分に開いた状態を保持されているから空気の流通がよく、内部が蒸れないという、上記従来品の問題点を悉く解消することができるようになしたカメラの雨避け装置を提供せんとするものである。
【０００９】
【課題を解決するための手段】
而して、本発明の要旨とするところは、中央寄りの適宜の位置に、三脚における雲台のカメラ連結ネジの挿通孔を設けたカメラ載置板と、前記カメラ載置板に前方に向けて平行して取り付け、前方に伸び出す長さを調節自在となすと共に、夫々の先端に後記フィルム状覆い体取着用弾性板の両端を夫々連結させるべくなした二本一組の支持杆と、外面に面ファスナー等の適宜の止着部材の一方側を取り付け、アーチ状に撓ませた状態においてその両端を前記二本一組の支持杆の夫々の先端に連結させるべくなしたフィルム状覆い体取着用弾性板と、前記カメラ載置板に載置するカメラと写真撮影者とを覆うに適した所要の広さを有し、前部の縁の内面に前記止着部材の他方側を取り付け、該止着部材の他方側を前記フィルム状覆い体取着用弾性板に取り付けた止着部材の一方側に結合一体化させることによって取着するようになしたフィルム状覆い体とをもって構成してなることを特徴とするカメラの雨避け装置にある。
【００１０】
【発明の実施の形態】
以下、本発明の実施の形態について図面を参照しつつ説明する。
図１はフィルム状覆い体を一部省略して示した斜視図、図２はフィルム状覆い体の一部省略して示した斜視図、図３はフィルム状覆い体を一部外した状態における使用状態の斜視図、図４はフィルム状覆い体を完全に被せた状態における使用状態の斜視図である。
【００１１】
図中、１は三脚上にセットするカメラ載置板である。また、該カメラ載置板１は、中央寄りの位置に、三脚における雲台のカメラ連結ネジの挿通孔２を設けている。そして、該カメラ載置板１は、該カメラ連結ネジの挿通孔２に挿通したカメラ連結ネジをカメラの底面のネジに螺合することによって三脚上にセットするものである。
【００１２】
３，４は前記カメラ載置板１に、その前方に向けて平行して取り付けた二本一組の支持杆である。また、該支持杆３，４は使用するレンズの長さに対応することができるように、夫々前方に伸び出す長さを調節自在としている。また、この点について、本実施形態では入子式になし、前記カメラ載置板１に固定した基部側の太い部分３Ａ，４Ａに先端側の細い部分３Ｂ，４Ｂを摺動自在に嵌入し、圧着構造の位置固定部材５をもって適宜の長さに固定することができるようになしている。尚、伸び出す長さを調節自在とするための構造としては、この他にも適宜のものを採用可能である。
【００１３】
また、該二本一組の支持杆３，４の先端は、後記フィルム状覆い体取着用弾性板の両端を夫々連結させるべくなしている。また、この点について、本実施形態では、これら二本一組の支持杆３，４の先端に複数のピン６，６を内向きに取り付け、また一方後記フィルム状覆い体取着用弾性板の両端部に夫々該ピン６，６が嵌入する孔７，７を設けている。
【００１４】
８はフィルム状覆い体取着用弾性板であり、アーチ状に撓ませた状態においてその両端を前記二本一組の支持杆３，４の夫々の先端に連結させるものである。尚、前記の如く二本一組の支持杆３，４の夫々の先端には内向きにピン６，６を取り付けているから、該フィルム状覆い体取着用弾性板８をアーチ状に撓ませた状態にしてそれの両端の孔７，７に二本一組の支持杆３，４のピン６，６を嵌入させれば、簡単迅速に両者を連結させることができる。そして、このように簡単に連結を行なうことができるから、分解して小型に折り畳むことができ、携帯し易くなるものである。そしてまた、使用するときには簡単に組み立てることができるものである。
【００１５】
また、該フィルム状覆い体取着用弾性板８は、本実施形態では網体を芯として用い、これの外面をゴムの膜で覆った構造のものを用いている。プラスチック等の板を用いると、アーチ状にしたときの曲がったクセがつき易く、分解して持ち運ぶときに嵩張って若干不便に感ずることがあるが、このようにするとクセがつかず、携帯に便利である。
【００１６】
更にまた、該フィルム状覆い体取着用弾性板８には、その外面に面ファスナー等の適宜の止着部材の一方側を取り付けている。尚、本実施形態では止着部材として面ファスナーを用い、一方のフック側９Ａを取り付けている。
【００１７】
１０はフィルム状覆い体であり、前記カメラ載置板１に載置するカメラと写真撮影者とを覆うに適した所要の広さを有している。また、該フィルム状覆い体１０の前部の縁の内面には、前記止着部材の他方側を取り付けている。尚、本実施形態では面ファスナーのループ側９Ｂを取り付けている。また、その他図中１１はカメラ、１２は三脚を示す。
【００１８】
次に、本実施形態の作用について説明する。
三脚上にカメラ載置板１をセットするには、三脚１２における雲台のカメラ連結ネジを該カメラ載置板１に設けた孔２に挿通し、カメラ１１の底面のネジ（図示せず。）に螺合することによって行なう。そして、フィルム状覆い体取着用弾性板８を、二本一組の支持杆３，４の先端に、アーチ状に撓ませた状態において連結する。次に、二本一組の支持杆３，４の前方へ伸び出す長さを調節し、最後にフィルム状覆い体１０を被せて組み立てを完了するものである。
【００１９】
【発明の効果】
本発明は上記の如き構成であり、フィルム状覆い体がフィルム状覆い体取着用弾性板をもって頂部を充分に開いた状態で、即ちレンズの周囲に充分な空間がとれる状態で被せられているから、従来の如くレンズがフィルム状覆い体に接触せず、またレンズを交換する際にも、フィルム状覆い体が従来の如くレンズや写真撮影者の手にからみつくことがなく、スムーズに行なうことができる。また、フィルム状覆い体はその前部がフィルム状覆い体取着用弾性板をもって充分に開いた状態を保持されているから空気の流通がよく、内部の蒸れを防ぐことができるものである。
【００２０】
また、二本一組の支持杆と、フィルム状覆い体取着用弾性板並びにフィルム状覆い体とは夫々分解組み立てが自由に行なえるから、持ち運ぶときに分解してコンパクトにして持ち運べ、また使用するときには簡単に組み立てることができるものである。加えて二本一組の支持杆は前方へ伸び出す長さを自在に調節することができるから、レンズの長さに対応させることもできるものである。
【図面の簡単な説明】
【図１】本発明のフィルム状覆い体を一部省略して示した斜視図である。
【図２】フィルム状覆い体の一部省略して示した斜視図である。
【図３】本発明のフィルム状覆い体を一部外した状態における使用状態の斜視図である。
【図４】本発明のフィルム状覆い体を完全に被せた状態における使用状態の斜視図である。
【図５】従来のカメラ覆いの斜視図である。
【符号の説明】
１  カメラ載置板
２  三脚のカメラ連結ネジの挿通孔
３，４  二本一組の支持杆
５  位置固定部材
６、６  ピン
７、７  ピンの嵌入孔
８  フィルム状覆い体取着用弾性板
９Ａ，９Ｂ  面ファスナー
１０  フィルム状覆い体
【図１】
0003605767.tif 000002
【図２】
0003605767.tif 000003
【図３】
0003605767.tif 000004
【図４】
0003605767.tif 000005
【図５】
0003605767.tif 000006